(57)【要約】      （修正有）【課題】挿入脚部の外周面にＯリングを嵌着するプラグ部材であっても、Ｏリング溝の外周面にパーティングを有しない管継手を提供する。【解決手段】一端にプラグ部材１を受け入れる受け口部１０が形成されているソケツト部材２と、このソケツト部材２の受け口部１０に挿入可能な挿入脚部６を有するプラグ部材１とからなる管継手であって、プラグ部材１の挿入脚部６の先端部分にＯリング溝７の先端寄り壁面を形成するフランジ２１を一体に装着することで挿入脚部６の先端にＯリング溝７を形成し、Ｏリング溝７の溝底壁にパーティングラインを有しないようにして、シール性能の低下を抑制した。【選択図】図１
2010281382.tif 000002
【特許請求の範囲】
【請求項１】
一端にプラグ部材(１)を受け入れる受け口部(10)が形成されているソケツト部材(２)と、このソケツト部材(２)の受け口部(10)に挿入可能な挿入脚部(６)を有するプラグ部材(１)とからなり、プラグ部材(１)の挿入脚部(６)の先端寄り部分にシール用のＯリング(４)を外嵌装着するためのＯリング溝(７)を形成するとともに、挿入脚部(６)の中間部分にソケツト部材(２)に設けられている係止具(３)を受け入れる係止溝(８)が形成してある管継手であって、挿入脚部(６)の先端部分にＯリング溝(７)の先端寄り壁面を形成するフランジ(21)を一体に装着することで挿入脚部(６)の先端にＯリング溝(７)を形成するようにしたことを特徴とする管継手。
【請求項２】
プラグ部材(１)が合成樹脂製である請求項１に記載の管継手。
【請求項３】
フランジ(21)を挿入脚部(６)の先端部に嵌着接合してある請求項１または２に記載の管継手。
【請求項４】
フランジ(21)が挿入脚部(６)の先端に圧嵌固定してある請求項３に記載の管継手。
【請求項５】
フランジ(21)を挿入脚部(６)の先端に高周波融着してある請求項３に記載の管継手。
【発明の詳細な説明】
【技術分野】
【０００１】
本発明は、給水・給湯、冷温水、冷却水等の配管、消火配管などに用いられ、それらの配管の一端部同士を接続するのに用いられる管継手に関する。
【背景技術】
【０００２】
給水・給湯等の配管に用いられる管継手として、例えば、図６に示すような管継手が提案されている(特許文献１)。この管継手は、給水栓やヘッダー等の器具に配置されるプラグ部材(51)と、このプラグ部材(51)に嵌着するソケット部材(52)とで構成されており、ソケツト部材(52)は、一端に前記プラグ部材(51)を受け入れる受け口(53)を形成するとともに、他端にパイプ材(54)が接続されるようになっている。また、プラグ部材(51)はソケツト部材(52)の受け口部(53)に挿入される脚部(55)にシール用のＯリング(56)を外嵌装着するためのＯリング溝(57)とソケツト部材(52)に形成されている係止具(58)を受け入れる係止溝(59)とが形成してある。そして、この管継手は、プラグ部材(51)をソケツト部材(52)に差込むだけて連結可能なクイックカップリングになっている。
【先行技術文献】
【特許文献】
【０００３】
【特許文献１】特開２００９−９２１００号公報
【発明の概要】
【発明が解決しようとする課題】
【０００４】
前記した管継手にあっては、プラグ部材(51)の外周面にＯリング溝(57)を形成し、このＯリング溝(57)に装着したＯリング(56)をソケツト部材(52)の受け口部(53)の内周面に圧接することにより、シール機能を持たせるようにしているが、プラグ部材(51)を合成樹脂や金属で型形成した場合には、図６に示すように、成型の合わせ面部分にパーティングライン(Ｐ)が突出形成されるが、このパーティングライン(Ｐ)は前記したプラグ部材(51)の場合には、外周面にプラグ部材軸芯と平行にあらわれる。このため、このパーティングライン(Ｐ)がＯリング(56)の内側接触部分を少し押し上げる状態となることから、Ｏリング(56)が部分的に異常変形することになり、Ｏリング溝(57)の底面部分へＯリング(56)の接触圧力が低下する。しかも、この部分は、外部空間へ連通する部分でのシール個所となることから、シール性能が低下する要因になっていた。
【０００５】
本発明はこのような点に鑑み提案されたもので、挿入脚部の外周面にＯリングを嵌着するプラグ部材であっても、Ｏリング溝の外周面にパーティングを有しない管継手を提供することを目的とする。
【課題を解決するための手段】
【０００６】
上記目的を達成するために本発明は、一端にプラグ部材を受け入れる受け口部が形成されているソケツト部材と、このソケツト部材の受け口部に挿入可能な挿入脚部を有するプラグ部材とからなり、プラグ部材の挿入脚部の先端寄り部分にシール用のＯリングを外嵌装着するためのＯリング溝を形成するとともに、挿入脚部の中間部分にソケツト部材に設けられている係止具を受け入れる係止溝が形成してある管継手であって、挿入脚部の先端部分にＯリング溝の先端寄り壁面を形成するフランジを一体に装着することで挿入脚部の先端にＯリング溝を形成するようにしたことを特徴としている。
【発明の効果】
【０００７】
本発明では、プラグ部材の挿入脚部先端にＯリング溝の先端寄り壁面を形成するフランジを一体に装着することで挿入脚部の先端部にＯリング溝を形成するようにしていることから、Ｏリング溝の底壁部分にパーティングラインを生じさせることなくプラグ部材を構成することができる。これにより、プラグ部材をソケット部材に接合した際にＯリングが溝底壁に確実に当接することができことになり、確実にシールすることができる。
【図面の簡単な説明】
【０００８】
【図１】本発明の一実施形態を示す管継手の半欠截断面図である。
【図２】プラグ部材の半欠截断面図である。
【図３】プラグ部材の別の実施形態を示す半欠截断面図である。
【図４】プラグ部材の異なる別の実施形態を示す半欠截断面図である。
【図５】従来技術の一例を示す図１対応図である。
【図６】従来技術のプラク部材を示し、図６ａは外観図、図６ｂは図６ａのＢ−Ｂ線断面図である。
【発明を実施するための形態】
【０００９】
本発明に係る管継手は、図１および図２に示すように、ストレート型のプラグ部材(１)、ストレート型のソケツト部材(２)、係止具(３)、シール用Ｏリング(４)、およびソケットカバー(５)を主要構成部材としている。
【００１０】
プラグ部材(１)は、ポリブテン、ポリエチレン、塩化ビニル等の樹脂材料で構成されており、その一端を挿入脚部(６)に形成し、この挿入脚部(６)の先端部分の外周にシール用Ｏリング(４)が収容されるＯリング溝(７)を形成するとともに、挿入脚部(６)の中間部分での外周に、ソケット部材(２)に装着されている係止具(３)が嵌り込む環状の係止溝(８)が形成してある。そして、このプラグ部材(１)の他端部は、給水栓やバルブ、あるいはヘッダー等の器具にとりつけられる。
【００１１】
係止具(３)はポリオキシメチレン(ＰＯＭ)等の合成樹脂や金属材料で開離両端部を有するＣ形状に形成されて弾性で拡縮変形自在なリング本体部(３ａ)と、このリング本体部(３ａ)の内周部分に内向きに一体突設した複数個の係止爪(３ｂ)とを有する形状に形成してある。
【００１２】
ソケット部材(２)は、ポリブテン、ポリエチレン、塩化ビニル等の樹脂材料で短管状に構成されており、その一端に前述のプラグ部材(１)の挿入脚部(６)を挿嵌する受け口部(10)を開口形成してある。また、ソケット部材(２)の受け口部(10)を形成してある部分に前記した係止具(３)を嵌着する係止具収容溝(11)が設けてある。この係止具収容溝(11)の溝底には、係止具(３)の前記係合爪(３ｂ)に対応する係合爪挿通孔が形成してある。がその内端部を受け口部(10)の内部に突出する状態で装着してある。ソケツト部材(２)の他端には、前記受け口部(10)の外径よりも小径の小径管部を受け口部(10)に段部を介して連接している。このソケツト部材(２)の小径管部は、ソケツト部材(２)と同様、ポリブテン、ポリエチレン、塩化ビニル等の樹脂材料からなるパイプ材(12)の一端部が挿入されて、熱融着または電気融着等で接合できるようになっている。なお、このソケツト部材(２)とパイプ材(12)との接合手段としては、熱融着・電気融着以外に、接着手段で接合するようにしてもよい。
【００１３】
係止具(３)は、ソケツト部材(２)の係止具収容溝(11)にはめ込まれると、図１から明らかなように、係止具(３)の係合爪(３ｂ)が係止爪挿通孔を通してその先端部が受け口部(10)内へ突出するとともに、係止具(３)の外周面がソケツト部材(２)の受け口部での外周面と略面一となるように収められるように構成してある。そして、プラグ部材(１)の挿入脚部(６)がソケツト部材(２)の受け口部(10)に所定深さまで挿嵌されると、係止具収容溝(11)が挿入脚部(６)に形成した係止溝(８)の外周に対応して、係止爪挿通孔から突出する係止具(３)の係止爪(３ｂ)の先端がプラグ部材(１)の挿入脚部(６)に形成した係止溝(８)に嵌係合してプラグ部材(１)とソケット部材(２)とを組み付けられるように構成してある。
【００１４】
ソケットカバー(５)は、ポリエチレン、ポリプロピレン、ポリフェニールサルフォン(ＰＰＳＵ)等の合成樹脂材料で形成してあり、ソケット部材(２)の受け口部(10)での外径と略同一の内径を有する筒状に形成している。特に、ソケツトカバー(５)がポリエチレン樹脂で形成される場合は、補強機能を確保するために、その軸方向一端の開口端の内周に黄銅等の金属製の補強リング(13)をインサート成型するか、あるいは嵌合固定する。ソケツトカバー(５)が機械的強度に優れるポリプロピレンやポリフェニールサルフォン(ＰＰＳＵ)等で成形される場合は、敢えて補強リングを一体にインサート成形または、嵌合固定する必要はない。ソケットカバー(５)の軸方向他端の開口端には、ソケット部材(２)の小径管部の外径と略同一の内径を有する位置決め機能用の内向き鍔(14)を設けている。内向き鍔(14)の内周縁には、内向き鍔(14)を拡縮変形自在とするための切欠き(15)を円周方向に列設している。
【００１５】
そして、このソケツトカバー(５)は、ソケツト部材(２)の外周に少なくとも係止具(３)のリング本体部(３ａ)の外周を覆うように被覆嵌合される。すなわち、ソケット部材(２)において、小径管部の先端の外周に第１の環状リブ(16)を設け、この第１環状リブ(16)と段部(２ａ)との間に第２の環状リブ(17)、第３の環状リブ(18)を設ける。かくして、ソケットカバー５をこれの軸方向一端の開口端をソケット部材(２)の小径管部の先端から第１の環状リブ(16)を乗り越えて小径管部の外周に嵌合し、内向き鍔(14)を第１環状リブ(16)と第２環状リブ(17)との間に停止させた状態(待機姿勢)に装着する。この状態では、図１に示すように、係止具(３)はソケットカバー(５)により覆われず露出する状態にあり、係止具(３)はソケット部材(２)の係止具収容溝(11)に対して着脱操作可能になっている。
【００１６】
管継手の接続時には、プラグ部材(１)をソケツト部材(２)に挿入した状態で、ソケツトカバー(５)を前述の待機姿勢からソケツト部材(２)の受け口部(10)の方向へ押し動かして、第２の環状リブ(17)、第３の環状リブ(18)を順次乗り越えるまで、スライド移動させ、内向き鍔(14)が段部(２ａ)に当接係合するように、第３環状リブ(18)と段部(２ａ)との間に停止させる。これにより、ソケットカバー(５)が補強リング(13)で係止具(３)の外周を覆う状態を維持することになる。なお、ソケツトカバー(５)は、内向き鍔(14)の周縁部に切欠き(15)を設けているので、内向き鍔(14)が第１・第２・第３の環状リブ(16)・(17)・(18)を乗り越える際に弾性によって拡開変形することから、該環状リブ(16)・(17)・(18)を乗り越えやすくなる。
【００１７】
ソケットカバー(５)を補強リング(13)が係止具(３)のリング本体部(３ａ)の外周を覆う状態に嵌合下後においても、係止具(３)が係止具収容溝(11)に装着されているか否かを該ソケットカバー(５)の外部から容易に確認することができるようにソケットカバー(５)は透明若しくは半透明に形成しておくことが望ましい。この場合、ソケットカバー(５)は、係止具(３)に施した色彩とは識別しやすい色彩に着色した透明または半透明に形成しておくことが、視認性の面でより好ましい。
【００１８】
また、プラグ部材(１)の挿入脚部(６)は、図２に示すように脚部本体(19)の先端部外径を小径に形成して、Ｏリング溝(７)の溝底壁部分を形成するとともに、脚部本体(19)の先端部にＯリング溝(７)の先端寄り壁面(20)を形成するフランジ(21)を有する挿嵌体(22)を嵌着して形成してある。
【００１９】
この挿嵌体(22)は青銅で形成してあり、前記フランジ(21)と脚部本体(19)の内部通路(23)に内嵌する筒状部(24)とを一体に形成してある。この筒状部(24)は、その内径は内部通路(23)の内径と等しく形成してあり、脚部本体(19)の内部通路(23)の先端部に形成した拡径部分(23a)に圧入して嵌着固定するように構成してある。また、フランジ(21)の外径は脚部本体(19)の外径と等しく形成してある。
【００２０】
図３は、プラグ部材(１)の別実施形態を示すもので、これは、前実施形態と同様に脚部本体(19)の先端部外径を小径に形成して、Ｏリング溝(７)の溝底壁部分を形成するとともに、脚部本体(19)の先端部にＯリング溝(７)の先端寄り壁面(20)を形成するフランジ(21)を有する挿嵌体(22ｂ)を嵌着して形成してある。
【００２１】
この挿嵌体(22ｂ)はポリブテン樹脂で形成してあり、フランジ(21)の内端部分に係着リング部(25)を突出し、この係着リング部(25)を脚部本体(19)の内部通路(23)の先端部に形成した切欠き部に嵌着して、高周波により脚部本体(19)と挿嵌体(22ｂ)とを融着して一体化したものである。
【００２２】
図４は、プラグ部材(１)の更に別実施形態を示すもので、これは、上記各実施形態と同様に脚部本体(19)の先端部外径を小径に形成して、Ｏリング溝(７)の溝底壁部分を形成するとともに、脚部本体(19)の先端部にＯリング溝(７)の先端寄り壁面(20)を形成するフランジ(21)を嵌着して形成してある。
【００２３】
この実施形態では、フランジ(21)をポリブテン樹脂で形成し、脚部本体(19)の先端部をＯリング溝(７)の溝底壁部分から更に段落ち状に形成してリング体(26)となし、このリング体(26)部分にフランジ(21)を外嵌して、超音波により脚部本体(19)とフランジ(21)とを融着して一体化したものである。
【００２４】
フランジ(21)を有する挿嵌体(22)(22a)をプラグ部材(１)と同様に樹脂材料で形成した場合には、前記した高周波融着や超音波融着のほか、熱融着や他の接合手段を採用してもよい。
【００２５】
このように、プラグ部材(１)の挿入脚部(６)の先端にフランジ(21)を装着して、Ｏリング溝(７)の先端寄り壁面(20)を形成するようにすると、成形金型をプラグ部材(１)の軸芯に沿って外すことが、でき、Ｏリング溝(７)部分に金型分離に基き形成されるパーティングラインが生じなくなるから、この、Ｏリング溝(７)に用Ｏリング(４)を挿嵌した際に、Ｏリング(４)がＯリング溝(７)の溝底壁に全周に亘って均等に当接することになる。
【産業上の利用可能性】
【００２６】
本発明は、プラグとソケツトとで構成される管継手に利用することができる。
【符号の説明】
【００２７】
１…プラグ部材、２…ソケット部材、３…係止具、４…Ｏリング、６…プラグ部材の挿入脚部、７…Ｏリング溝、８…係止溝、10…受け口部、21…フランジ。
【図１】
2010281382.tif 000003
【図２】
2010281382.tif 000004
【図３】
2010281382.tif 000005
【図４】
2010281382.tif 000006
【図５】
2010281382.tif 000007
【図６】
2010281382.tif 000008